(57)【特許請求の範囲】
【請求項１】
遊技機の動作を制御する各種制御部品を接続した制御基板４０を収納して固定したボックス本体３０と、このボックス本体３０の開口面側に合わせた覆蓋状態で組付けられて前記制御基板４０を覆うボックスカバー２０とから構成されるボックス１０の単位で取扱い得る制御基板ボックスにおいて、
前記制御基板ボックスのボックスカバー２０の上面２１に、方形広さの開口部２３が開口形成されるとともに、該開口部２３において対向する一対の開口縁部に沿ってガイド溝２１ａ，２１ｂが平行状に形成され、前記開口部２３において該ガイド溝２１ａ，２１ｂが設けられていない開口縁部の一方には薄肉金属製のロック係合部材２４が固定される一方、
ボックスカバー２０の上面２１に前記ガイド溝２１ａ，２１ｂに沿って開閉方向にスライドすることで、前記開口部２３を外側から覆蓋し得る方形平板状のスライド蓋２５が設置され、
前記スライド蓋２５では、前記ロック係合部材２４に対向する前側板部分の内面複数箇所に、切断工具で切り離し可能とされた突状の係着部２５ｐ，２５ｑ，２５ｒ，２５ｓ，２５ｔが内向きに突出形成され、かつ１個ずつ使用されるように配置される一方、
前記ロック係合部材２４では、前記開口部２３の開口縁に臨む側縁側の複数箇所に、弾性状態で開閉可能に形成されて前記スライド蓋２５の各係着部２５ｐ，２５ｑ，２５ｒ，２５ｓ，２５ｔと１個ずつの使用順で係合し得る切り欠きと抜け止めからなる封印用のロック部２４ｐ，２４ｑ，２４ｒ，２４ｓ，２４ｔが係着部２５ｐ，２５ｑ，２５ｒ，２５ｓ，２５ｔに対向して配置され、
前記スライド蓋２５を閉鎖方向にスライドして前記開口部２３を閉めた状態で、先の使用順位置となる１個の係着部２５ｐ，２５ｑ，２５ｒ，２５ｓ，２５ｔが、スライド方向に対向した前記ロック係合部材２４の１個のロック部２４ｐ，２４ｑ，２４ｒ，２４ｓ，２４ｔを一旦弾性開口変形させながら進入した後、該ロック部２４ｐ，２４ｑ，２４ｒ，２４ｓ，２４ｔにより抜止め状態で係合保持されることでスライド蓋２５が開放不能な封印状態でロックされ、
前記ロック部２４ｐ，２４ｑ，２４ｒ，２４ｓ，２４ｔにロックされた前記係着部２５ｐ，２５ｑ，２５ｒ，２５ｓ，２５ｔを前記スライド蓋２５から切り離すことにより、当該係着部２５ｐ，２５ｑ，２５ｒ，２５ｓ，２５ｔと当該ロック部２４ｐ，２４ｑ，２４ｒ，２４ｓ，２４ｔとのロック状態が解除されてスライド蓋２５の開放方向へのスライドを可能として前記開口部２３を開放し得るようにしたことを特徴とする遊技機の制御基板ボックス。
【発明の詳細な説明】
【０００１】
【発明の属する技術分野】
本発明は遊技機の制御基板ボックスに関し、特に、制御基板ボックスを閉じると同時に封印する技術に関するものである。
【０００２】
【従来の技術】
遊技機の動作を制御する制御基板は不正防止のためにボックスに収納され封印されている。このため、該制御基板をボックスに入れて該ボックスを閉じる際に該ボックスを封印する作業が必要である。
【０００３】
【発明が解決しようとする課題】
しかし、該ボックスの封印作業は該ボックスを閉じた上で行う別個の作業であり、封印完了に２ステップを要する。また、その封印作業も例えばねじ締め等の手間と時間を要する操作が必要な場合がある。封印された制御基板を検査した後の再封印操作においても同様である。
本発明の課題は、上述の従来の制御基板ボックスを改良し、閉じると同時に封印できる制御基板ボックスを提供することにある。
【０００４】
【課題を解決するための手段】
上記課題を解決するため、本願の第１の発明は、遊技機の動作を制御する遊技機の動作を制御する各種制御部品を接続した制御基板を収納して固定したボックス本体と、このボックス本体の開口面側に合わせた覆蓋状態で組付けられて前記制御基板を覆うボックスカバーとから構成されるボックスの単位で取扱い得る制御基板ボックスにおいて、
前記制御基板ボックスのボックスカバーの上面に、方形広さの開口部が開口形成されるとともに、該開口部において対向する一対の開口縁部に沿ってガイド溝が平行状に形成され、前記開口部において該ガイド溝が設けられていない開口縁部の一方には薄肉金属製のロック係合部材が固定される一方、
ボックスカバーの上面に前記ガイド溝に沿って開閉方向にスライドすることで、前記開口部を外側から覆蓋し得る方形平板状のスライド蓋が設置され、
前記スライド蓋では、前記ロック係合部材に対向する前側板部分の内面複数箇所に、切断工具で切り離し可能とされた突状の係着部が内向きに突出形成され、かつ１個ずつ使用されるように配置される一方、
前記ロック係合部材では、前記開口部の開口縁に臨む側縁側の複数箇所に、弾性状態で開閉可能に形成されて前記スライド蓋の各係着部と１個ずつの使用順で係合し得る切り欠きと抜け止めからなる封印用のロック部が係着部に対向して配置され、
前記スライド蓋を閉鎖方向にスライドして前記開口部を閉めた状態で、先の使用順位置となる１個の係着部が、スライド方向に対向した前記ロック係合部材の１個のロック部を一旦弾性開口変形させながら進入した後、該ロック部により抜止め状態で係合保持されることでスライド蓋が開放不能な封印状態でロックされ、
前記ロック部にロックされた前記係着部を前記スライド蓋から切り離すことにより、当該係着部と当該ロック部とのロック状態が解除されてスライド蓋の開放方向へのスライドを可能として前記開口部を開放し得るようにしたことを特徴とする遊技機の制御基板ボックスである。
【０００５】
上記第１の発明の構成により、制御基板を封印するボックスを閉じると同時に、該ボックスが封印されるので、該ボックスによる制御基板の封印作業が簡単かつ迅速になるとともに、該ボックスを閉じた際に該ボックスを封印することを忘れることを防ぐことができる。
【０００７】
また、複数の封印用ロック部が形成され、該複数の封印用ロック部を順次使用することによって複数回の封印が可能であるので、一度使用したボックスを再度使用して制御基板を封印することができる。
【０００９】
更に、制御基板ボックスの開口部を摺動して開閉可能なスライド蓋で開閉し、該蓋を閉じると同時に該蓋の係着部が前記制御基板ボックスのロック部にロックされるので、前記制御基板ボックスを封印することができる。
【００１０】
【発明の実施の形態】
以下、本発明における実施の形態を図面を参照して説明する。図１は本願の第１の発明の実施の形態に係わる制御基板ボックスの平面を示し、図２は図１に示すもののII−II断面構造を示し、図３は図１に示すもののIII−III断面構造を示し、図４は図１に示すもののIV−IV断面構造を示し、図５は前記第１の実施の形態に係わる制御基板ボックスの左側面を示し、図６は図４に示すものの分解状態を示し、図７は図１の一部分を拡大して示し、図８は図７に示すものの変形例を示し、図９は図６に示すものの一部分を拡大して示している。
【００１１】
更に、図１０は図１に示す蓋の係着部の変形例を示し、図１１は図１０に示すものの断面構造を示し、図１２は前記第１の実施の形態に係わる制御基板ボックスの内部の要部を示し、図１３は図１２に示すものの動作を説明し、図１４は前記第１の実施の形態の内側を示し、図１５は図１４に示すものの動作を説明し、図１６は図１に示すものの封印状態を示し、図１７は図１に示すものの封印の解除状態を示し、図１８は図１に示すものの再封印状態を説明している。
【００１２】
図１乃至図１８において、制御基板としてのボックス１０は、パチンコ遊技機の動作を制御する制御基板４０の不正防止のために制御基板４０を封印するものである。なお、制御基板４０には、パチンコ遊技機の動作を制御するプログラムを記憶しているメモリ素子が装着されている。ボックス１０は、ボックス本体３０とボックスカバー２０からなる。ボックス１０の材質は、例えば透明な合成樹脂である。
【００１３】
ボックスカバー２０とボックス本体３０とは係合部２６ａ、２６ｂ及びカシメ部２７ａ、２７ｂにより結合されている。係合部２６ａ、２６ｂはボックス本体３０の側面３１に固定された軸２６ｘ及びボックスカバー２０の側面２２に固定されたフック２６ｙからなり、フック２６ｙは軸２６ｘに係合している。
通気孔２１ｃがボックスカバー２０の上面２１に形成されている。なお、２２はボックスカバー２０の側面である。
【００１４】
開口部２３が前記上面２１に形成され、開口部２３の一部分を塞ぐようにロック係合部材２４が配設されている。ロック係合部材２４の折曲部２４ａには抜け止め２４ｂ、２４ｃが形成され、ロック係合部材２４の折曲部２４ａ側に切り欠き２４ｄが形成され、該切り欠き２４ｄに対応する位置の折曲部２４ａに一対の抜け止め２４ｂ、２４ｃが形成されている。ロック部２４ｐは前記切り欠き２４ｄ及び一対の抜け止め２４ｂ、２４ｃにより構成されている。他のロック部２４ｑ、２４ｒ、２４ｓの構造はロック部２４ｐの構造と同じである。また、各ロック部２４ｐ、２４ｑ、２４ｒ、２４ｓは一列に配置されている。
【００１５】
スライド蓋２５は、開口部２３のうちロック係合部材２４で塞がれていない部分を開閉するものである。上面２１の段差部２１ｄ、２１ｅがスライド蓋２５を矢印２５ｖ、２５ｗ方向に摺動可能に保持している。係着部２５ｐ、２５ｑ、２５ｒ、２５ｓがスライド蓋２５の内面２５ｂ側に形成されている。なお、２５ａはスライド蓋２５の外面である。
【００１６】
４つのロック部２４ｐ〜２４ｓをスライド蓋２５の面を含む面上であってスライド蓋２５の摺動方向に対し直角方向に延びる直線より所定角度傾いた直線上に一直線状に配置させ、４つの係着部２５ｐ〜２５ｓをスライド蓋２５の面を含む面上であってスライド蓋２５の摺動方向に対し直角方向に延びる直線より所定角度傾いた他の直線上に一直線状に配置させることにより、スライド蓋２５をスライド移動して開口部２３を閉めると、ロック部２４ｐ〜２４ｓと係着部２５ｐ〜２５ｓとの間隔のうち一番近い組み合わせになるロック部２４ｐと係着部２５ｐがロックするが、他のロック部２４ｑ〜２４ｓと係着部２５ｑ〜２５ｓは、ロック部２４ｐ及び係着部２５ｐと一緒にはロックすることはない。
【００１７】
ピン２５ｃ、２５ｄがスライド蓋２５の内面２５ｂに形成されている。ガイド溝２１ａ、２１ｂが上面２１に形成され、ピン２５ｃがガイド溝２１ａ内を摺動可能に配置され、ピン２５ｄがガイド溝２１ｂ内に摺動可能に配置されている。ワッシャ２５ｅを介してビス２５ｘがピン２５ｃの孔にねじ込まれ、ワッシャ２５ｆを介してビス２５ｙがピン２５ｄの孔にねじ込まれている。ピン２５ｃがガイド溝２１ａから抜けることをワッシャ２５ｅが防ぎ、ピン２５ｄがガイド溝２１ｂから抜けることをワッシャ２５ｆが防いでいる。
【００１８】
スライド蓋２５の係着部２５ｐでは、柱状部２５ｊが内面２５ｂ側に形成され、孔２５ｈ、２５ｉが柱状部２５ｊの両側のスライド蓋２５に形成され、先端部２５ｋが柱状部２５ｊの先端の両側に張り出すように形成されている。
【００１９】
以上の構成により、図１、図１２及び図１４に示すようにスライド蓋２５が開口部２３を閉じていない状態から、図１３、図１５及び図１６に示すようにスライド蓋２５が開口部２３を閉じて封印した状態では、係着部２５ｐがロック部２４ｐにロックされる。このとき、係着部２５ｐがロック部２４ｐの切り欠き２４ｄ内に入り込み、抜け止め２４ｂ、２４ｃにより切り欠き２４ｄ内に保持される。
【００２０】
なお、抜け止め２４ｂ、２４ｃは弾性があるので、柱状部２５ｊが切り欠き２４ｄ内に入るときは変形し、抜け止め２４ｂと抜け止め２４ｃとの間が広がるが、柱状部２４ｊが通過した後は、前記変形が元にもどる。
また、スライド蓋２５により開口部２３を開閉するときは、スライド蓋２５のピン２５ｃがガイド溝２１ａに沿って摺動し、スライド蓋２５のピン２５ｄがガイド溝２１ｂに沿って摺動する。
【００２１】
次に、封印を解除するためには、係着部２５ｐの柱状部２５ｊを孔２５ｈ、２５ｉを利用してニッパ等によりスライド蓋２５から切り離す。係着部２５ｐを切断した部分は、切断個所２５ｘとなる。このとき、図１７に示すようにスライド蓋２５を矢印２４方向に摺動させることにより、開口部２３を開けることができる。
【００２２】
次に、図１８に示すように、スライド蓋２５を矢印２５ｗ方向に摺動させると、再度封印をすることができる。このとき、係着部とロック部との距離の短い順に（なお、係着部２５ｐとロック部２４ｐとの距離が一番短い。）、係着部２５ｑがロック部２４ｑにロックされる。
以下、同様にして、係着部２５ｒをロック部２４ｒにロックすることにより、３回目の封印をすることができる。更に、係着部２５ｓをロック部２４ｓにロックすることにより、４回目の封印をすることができる。
【００２３】
図１９は本願発明の第２の実施の形態を示している。図１９においては、ボックスカバー５０（ボックスカバー２０の変形例）の開口部を開閉するスライド蓋５２の係着部５３ｐ、係着部５３ｑ、係着部５３ｒ及び係着部５３ｓはスライド蓋５２の摺動方向（矢印５２ｘ方向）に垂直な直線上に一列に配置されている。一方、ロック部５１ｐ、ロック部５１ｑ、ロック部５１ｒ及びロック部５１ｓは矢印５２ｘ方向と９０°以下の角度で交差する直線上にある。ただし、ロック部５１ｐ〜５１ｓを通る直線が矢印５２ｘ方向となす角度は、ロック部２４ｒ〜２４ｓを通る直線が矢印２５ｗ方向となす角度より小さくなっている。
【００２４】
このようにして、係着部５３ｐとロック部５１ｐにより１回目の封印をし、以下、係着部５３ｑとロック部５１ｑにより２回目の封印をし、係着部５３ｒとロック部５１ｒにより３回目の封印をし、係着部５３ｓとロック部５１ｓにより４回目の封印をすることができる。
このように、ロック部及び係着部のいずれかを、スライド蓋の摺動方向に対し直角な直線上に配置しても１つづつロックすることができる。
【００２５】
図２０は本願発明の第３の実施の形態を示している。図２０においては、ボックスカバー６０（ボックスカバー２０の変形例）の開口部を開閉するスライド蓋６２の係着部６３ｐ、係着部６３ｑ、係着部６３ｒ及び係着部６３ｓ並びにロック部６１はスライド蓋６２の摺動方向（矢印６２ｘ方向）の直線上に一列に配置されている。
【００２６】
このため、係着部６３ｐとロック部６１により１回目の封印をし、以下、係着部６３ｑとロック部６１により２回目の封印をし、係着部６３ｒとロック部６１により３回目の封印をし、係着部６３ｓとロック部６１により４回目の封印をすることができる。
このように、ロック部及び複数の係着部をスライド蓋の摺動方向に対して一列に配置することにより、単一のロック部で複数の係着部とロックさせることができ、それゆえ、ロック機構の構成を単純化できる。
【００２７】
図２１は本願発明の第４の実施の形態を示している。図２１においては、ボックスカバー７０（ボックスカバー２０の変形例）の開口部７２を開閉する回転蓋７３は軸７７を回動中心としてスライドしつつ自在に回動できる。なお、回転蓋７３が回動するときは、回転蓋７３に付設されたピン７６がボックスカバー７０に形成されたガイド溝７５に沿って摺動する。また、７８は通気孔である。
係着部７４ｐ、係着部７４ｑ、係着部７４ｒ及び係着部７４ｓは回転蓋７３に一直線状に配設されている。更に、ロック部７１ｐ、ロック部７１ｑ、ロック部７１ｒ及びロック部７１ｓはボックスカバー７０に一直線状に配置されている。
【００２８】
このため、係着部７４ｐとロック部７１ｐにより１回目の封印をし、以下、係着部７４ｑとロック部７１ｑにより２回目の封印をし、係着部７４ｒとロック部７１ｒにより３回目の封印をし、係着部７４ｓとロック部７１ｓにより４回目の封印をすることができる。
このように、本発明のロック機構は、直線状に開閉するスライド蓋に限らず、例えば開口形状に合わせるために採用されることがある回転移動する上記回転蓋にも適用することができる。
【００２９】
なお、上記各実施の形態において、ロック部（２４ｐ等）の代わりに、図８に示すように、１枚の抜け止め２４ｅを有するロック部２４ｔを使用してもよい。抜け止め２４ｅは、弾性変形可能であり、片持ち梁状に形成されている。
更に、係着部２５ｐ等の代わりに、図１０及び図１１に示す係着部２５ｔを使用してもよい。係着部２５ｔでは、柱状部２５ｇが基部２５ｕに固定され、基部２５ｕの両端が連結部２５ｎによりスライド蓋２５（又はスライド蓋５２、６２、回転蓋７３）に固定されている。なお、柱状部２５ｇを取り巻くように孔２５ｍがスライド蓋２５（又はスライド蓋５２、６２、回転蓋７３）に形成されている。このため、封印を解除すべく連結部２５ｎを切断したときは、基部２５ｕが孔２５ｍより大きいので、係着部２５ｔがボックス１０内に落下することを防ぐことができる。
【００３０】
以上の構成により、制御基板４０を封印するボックス１０を閉じると同時に、該ボックス１０が封印されるので、該ボックス１０による制御基板４０の封印作業が簡単になるとともに、該ボックス１０を閉じた際に該ボックス１０を封印することを忘れることを防ぐことができる。
更に、複数の封印用ロック部（２４ｐ〜２４ｓ等）が形成され、該複数の封印用ロック部を順次使用することによって複数回の封印が可能であるので、一度使用したボックス１０を複数回使用して制御基板４０を封印することができる。
更に、制御基板ボックス１０の開口部（２３等）を蓋（２５等）で開閉し、該蓋を閉じると同時に該蓋の係着部（２５ｐ〜２５ｓ等）が前記制御基板ボックス１０のロック部（２４ｐ〜２４ｓ等）にロックされるので、前記制御基板ボックス１０を封印することができる。
【００３１】
図２２は本願発明の第５の実施の形態の外観を示し、図２３は該第５の実施の形態の平面を示し、図２４は該第５の実施の形態の側面を示し、図２５は図２２に示すものの要部を拡大して示し、図２６は該第５の実施の形態の１回目の封印状態の側面を示し、図２７は図２６に示すものの一部分を切り欠いて示している。図２８は１回目の封印状態を示す斜視図であり、図２９は２回目の封印状態を示す斜視図である。
【００３２】
図２２〜図２９において、パチンコ機の動作を制御する制御基板４０（図２参照）を封印するボックス８０はボックス本体８１とボックスカバー８２からなる。
一対の帯状ガイド８１ｂ、８１ｃがボックス本体８１の側面８１ａに設けられている。一方、一対の溝状ガイド８２ｂ、８２ｃがボックスカバー８２の側面８２ａに設けられている。ボックスカバー８２をボックスカバー８１に着脱するときには、ガイド８２ｂがガイド８１ｂに沿って摺動し、ガイド８２ｃがガイド８１ｃに沿って摺動する。
【００３３】
係着部８３ｐ、係着部８３ｑ、係着部８３ｒ及び係着部８３ｓがボックスカバ−８２の側面８２ａに設けられている。
係着部８３ｐの基部８３ｂは、支持部８３ａにより側面８２ａに固定されている。軸８３ｃは基部８３ｂの下部に固定され、リング状溝８３ｄが軸８３ｃに形成されている。なお、８３ｅは軸８３ｃの先端である。
【００３４】
係着部８３ｑのリング状溝８３ｇは係着ピン８３ｐのリング状溝８３ｄより高い位置にある。更に、係着部８３ｒのリング状溝８３ｈは係着部８３ｑのリング状溝８３ｇより高い位置にあり、係着部８３ｓのリング状溝８３ｉは係着部８３ｒのリング状溝８３ｈより高い位置にある。
更に、係着部８３ｖ、係着部８３ｗ、係着部８３ｘ及び係着部８３ｙが側面８２ａに設けられている。係着部８３ｖ〜８３ｙは係着部８３ｐ〜８３ｓと同様のものである。
【００３５】
ロック部８４ｐ、ロック部８４ｑ、ロック部８４ｒ及びロック部８４ｓがボックス本体８１の側面８１ａに設けられている。該ロック部８４ｐ〜８４ｓは前記係着部８３ｐ〜８３ｓに対応するものである。なお、係着部８４〜８４ｙに対応するロック部は図示されていない。
ロック部８４ｐの本体８４ｂは支持部８４ａにより側面８１ａに固定されている。本体８４ｂには、孔８４ｃが形成され、抜け止め８４ｄ、８４ｅが孔８４ｃ内に設けられている。抜け止め８４ｄ、８４ｅは弾性があるので、軸８３ｃが通るときは抜け止め８４ｃと抜け止め８４ｄとの間隔が広がり、リング状溝８３ｄの位置で抜け止め８４ｄと抜け止め８４ｅとの間隔が狭くなるので、軸８３ｃが孔８４ｃから抜けなくなるため、１回目の封印をすることができる。
【００３６】
この封印を解除するためには、係着部８３ｐの支持部８３ａを切断して基部８３ｂを側面８２ａから外し、ロック部８４ｐの支持部８４ａを切断して本体８４ｂを側面８１ａから外す必要がある。
【００３７】
同様にして、係着部８３ｑとロック部８４ｑにより２回目の封印及び封印の解除ができ、係着部８３ｒとロック部８４ｒにより３回目の封印及び封印の解除ができ、係着部８３ｓとロック部８４ｓにより４回目の封印及び封印の解除ができる。
【００３８】
このため、第５の実施の形態の構成により、制御基板４０を封印するボックス８０を閉じると同時に、該ボックス８０が封印されるので、該ボックス８０による制御基板４０の封印作業が簡単になるとともに、該ボックス８０を閉じた際に該ボックス８０を封印することを忘れることを防ぐことができる。
更に、複数の封印用ロック部（８４ｐ〜８４ｓ等）が形成され、該複数の封印用ロック部を順次使用することによって複数回の封印が可能であるので、一度使用したボックス８０を複数回使用して制御基板４０を封印することができる。
【００３９】
【発明の効果】
本願の第１の発明により、制御基板を封印する制御基板ボックスを閉じると同時に、該制御基板ボックスが封印されるので、該制御基板ボックスによる制御基板の封印作業が簡単になるとともに、該制御基板ボックスを閉じた際に該制御基板ボックスを封印することを忘れることを防ぐことができる。このため、該制御基板ボックスにより制御基板を確実に封印することができる。
【００４０】
更に、第２の発明により、上記第１の発明による効果とともに、複数の封印用ロック部が形成され、該複数の封印用ロック部を順次使用することによって複数回の封印が可能であるので、一度使用した制御基板ボックスを再度使用して制御基板を封印することができる。
このため、例えば制御基板のＲＯＭの検査等により前記制御基板ボックスの封印を解除した後に、再度前記制御基板ボックスを封印することができる。
【００４１】
更に、第３の発明により、上記第１又は第２の発明による効果とともに、制御基板ボックスの開口部を蓋で開閉するのみで該制御基板ボックスの封印及び封印の解除ができるので、該制御基板ボックスの封印及び開封の作業性を向上させることができる。
また、制御基板ボックスに対する不正行為は制御基板ボックスの側面からなされる場合が多いが、制御基板ボックスの上面に蓋を設けることにより前記不正行為を防止しやすくなる。
【図面の簡単な説明】
【図１】本願発明の第１の実施の形態に係わる制御基板ボックスの平面図である。
【図２】図１に示すもののII−II断面図である。
【図３】図１に示すもののIII−III断面図である。
【図４】図１に示すもののIV−IV断面図である。
【図５】前記第１の実施の形態に係わる制御基板ボックスの左側面図である。
【図６】図４に示すものの分解図である。
【図７】図１の一部分拡大図である。
【図８】図７に示すものの変形例である。
【図９】図６に示すものの一部分拡大図である。
【図１０】図１に示す蓋のピンの変形例である。
【図１１】図１０に示すものの変形例である。
【図１２】前記第１の実施の形態に係わる制御基板ボックスの内部説明図である。
【図１３】図１２に示すものの動作説明図である。
【図１４】前記第１の実施の形態の内側説明用斜視図である。
【図１５】図１４に示すものの動作説明図である。
【図１６】図１に示すものの封印の説明図である。
【図１７】図１に示すものの封印の解除の説明図である。
【図１８】図１に示すものの再封印の説明図である。
【図１９】本願発明の第２の実施の形態に係わる制御基板ボックスの平面図である。
【図２０】本願発明の第３の実施の形態に係わる制御基板ボックスの平面図である。
【図２１】本願発明の第４の実施の形態に係わる制御基板ボックスの平面図である。
【図２２】本願発明の第５の実施の形態に係わる制御基板ボックスの斜視図である。
【図２３】図２２に示すものの平面図である。
【図２４】図２２に示すものの側面図である。
【図２５】図２２に示すものの要部拡大斜視図である。
【図２６】図２２に示すものの封印状態の側面図である。
【図２７】図２６に示すものの一部切り欠き側面図である。
【図２８】図２２に示すものの封印状態の斜視図である。
【図２９】図２２に示すものの再封印状態の斜視図である。
【符号の説明】
１０  ボックス
２３  開口部
２４ｐ、２４ｑ、２４ｒ、２４ｓ、２４ｔ  ロック部
２５  スライド蓋
２５ｐ、２５ｑ、２５ｒ、２５ｓ、２５ｔ  係着部
４０  制御基板
５１ｐ、５１ｑ、５１ｒ、５１ｓ  ロック部
５２  スライド蓋
５３ｐ、５３ｑ、５３ｒ、５３ｓ  係着部
６１  ロック部
６２  スライド蓋
６３ｐ、６３ｑ、６３ｒ、６３ｓ  係着部
７１ｐ、７１ｑ、７１ｒ、７１ｓ  ロック部
７２  開口部
７３  回転蓋
７４ｐ、７４ｑ、７４ｒ、７４ｓ  係着部
８０  ボックス
８３ｐ、８３ｑ、８３ｒ、８３ｓ、８３ｖ、８３ｗ、８３ｘ、８３ｙ  係着部
８４ｐ、８４ｑ、８４ｒ、８４ｓ  ロック部
【図１】
0004337994.tif 000002
【図２】
0004337994.tif 000003
【図３】
0004337994.tif 000004
【図４】
0004337994.tif 000005
【図５】
0004337994.tif 000006
【図６】
0004337994.tif 000007
【図７】
0004337994.tif 000008
【図８】
0004337994.tif 000009
【図９】
0004337994.tif 000010
【図１０】
0004337994.tif 000011
【図１１】
0004337994.tif 000012
【図１２】
0004337994.tif 000013
【図１３】
0004337994.tif 000014
【図１４】
0004337994.tif 000015
【図１５】
0004337994.tif 000016
【図１６】
0004337994.tif 000017
【図１７】
0004337994.tif 000018
【図１８】
0004337994.tif 000019
【図１９】
0004337994.tif 000020
【図２０】
0004337994.tif 000021
【図２１】
0004337994.tif 000022
【図２２】
0004337994.tif 000023
【図２３】
0004337994.tif 000024
【図２４】
0004337994.tif 000025
【図２５】
0004337994.tif 000026
【図２６】
0004337994.tif 000027
【図２７】
0004337994.tif 000028
【図２８】
0004337994.tif 000029
【図２９】
0004337994.tif 000030